(57)【要約】      （修正有）【課題】迅速に試験煙を生成する加煙試験器を提供する。【解決手段】加煙試験器１は、試験煙３を放出して煙を感知する煙感知器２の加煙試験を行う試験器本体６と、試験器本体に設けられ、試験煙の試料として流動性を有する加煙用試料３ａを収容する収容部３２と、収容部に収容された加煙用試料に一部が浸かり、加煙用試料を加熱して試験煙を発生させる加熱部３７と、を備える。加熱部は、加煙用試料に浸かる部分が、収容部に収容された加煙用試料から離間するように移動することを特徴とする。【選択図】図２
2020077104.tif 000002
【特許請求の範囲】
【請求項１】
試験煙を放出して煙を感知する煙感知器の加煙試験を行う試験器本体と、
前記試験器本体に設けられ、前記試験煙の試料として流動性を有する加煙用試料を収容する収容部と、
前記収容部に収容された前記加煙用試料に一部が浸かり、前記加煙用試料を加熱して前記試験煙を発生させる加熱部と、を備え、
前記加熱部は、
前記加煙用試料に浸かる部分が、前記収容部に収容された前記加煙用試料から離間するように移動する
ことを特徴とする加煙試験器。
【請求項２】
前記加熱部は、
前記加煙用試料に浸かる部分が変化するように回転する
ことを特徴とする請求項１記載の加煙試験器。
【請求項３】
前記加熱部は、
回転することによって、発生した前記試験煙を前記試験器本体の外部に送る
ことを特徴とする請求項２記載の加煙試験器。
【請求項４】
前記加熱部は、
前記加煙試験前に、予め前記加煙用試料を温める
ことを特徴とする請求項１〜３のいずれか１項に記載の加煙試験器。
【発明の詳細な説明】
【技術分野】
【０００１】
本発明は、煙感知器の加煙試験を行う加煙試験器に関する。
【背景技術】
【０００２】
従来、煙感知器の加煙試験を行う加煙試験器が知られている。加煙試験器は、煙感知器に試験煙を放出して、煙感知器の動作等を試験する。特許文献１には、耐熱性容器内の流動パラフィンをヒータによって局部的に加熱するパラフィンミスト発生装置が開示されている。特許文献１では、ヒータが、耐熱性容器内の流動パラフィンに常時浸かっている。
【先行技術文献】
【特許文献】
【０００３】
【特許文献１】特開昭６０−８４６１３号公報
【発明の概要】
【発明が解決しようとする課題】
【０００４】
しかしながら、特許文献１に開示されたパラフィンミスト発生装置は、ヒータが流動パラフィンに常時浸かっており、加熱された流動パラフィンが、周囲のパラフィンによって冷やされ、蒸発温度まで達しないため、蒸発し難く、試験煙が発生し難い。従って、特許文献１は、試験煙の生成に時間を要する。
【０００５】
本発明は、上記のような課題を解決するもので、迅速に試験煙を生成する加煙試験器を提供するものである。
【課題を解決するための手段】
【０００６】
本発明に係る加煙試験器は、試験煙を放出して煙を感知する煙感知器の加煙試験を行う試験器本体と、試験器本体に設けられ、試験煙の試料として流動性を有する加煙用試料を収容する収容部と、収容部に収容された加煙用試料に一部が浸かり、加煙用試料を加熱して試験煙を発生させる加熱部と、を備え、加熱部は、加煙用試料に浸かる部分が、収容部に収容された加煙用試料から離間するように移動することを特徴とする。
【発明の効果】
【０００７】
本発明によれば、加熱部における加煙用試料に浸かる部分が、収容部に収容された加煙用試料から離間するように移動する。これにより、加煙用試料が空気に触れるため、蒸発し易い。このため、加熱された加煙用試料は試験煙に変化し易い。従って、迅速に試験煙を生成することができる。
【図面の簡単な説明】
【０００８】
【図１】本発明の実施の形態１に係る加煙試験器１の使用態様を示す模式図である。
【図２】本発明の実施の形態１に係る試験器本体６を示す断面図及びハードウエア構成図である。
【図３】本発明の実施の形態１に係る加熱部３７を示す斜視図である。
【図４】本発明の実施の形態１に係るケーシング５０を示す図である。
【図５】本発明の実施の形態１に係る回転体６０を示す図である。
【図６】本発明の実施の形態２に係る加煙試験器１００を示す断面図及びハードウエア構成図である。
【図７】本発明の実施の形態３に係る加煙試験器２００を示す断面図及びハードウエア構成図である。
【発明を実施するための形態】
【０００９】
実施の形態１．
以下、本発明に係る加煙試験器の実施の形態について、図面を参照しながら説明する。図１は、本発明の実施の形態１に係る加煙試験器１の使用態様を示す模式図である。図１（ａ）に示すように、加煙試験器１は、煙感知器２に試験煙３（図２参照）を放出して、煙感知器２の動作等を試験する。加煙試験器１は、試験器本体６と、試験器本体６が煙感知器２に当接するように角度調整できるアーム４と、アーム４を介して試験器本体６を支持する支持棒５とを有している。アーム４は、支持棒５を傾斜させても、試験器本体６が常に上方を向くように制御する。図１（ｂ）に示すように、作業者は、加煙試験器１で生成された試験煙３が煙感知器２に放出されるように、支持棒５を所定の角度で握持する。そして、作業者は、加煙試験器１から試験煙３を放出させて、煙感知器２の動作を試験する。
【００１０】
図２は、本発明の実施の形態１に係る試験器本体６を示す断面図及びハードウエア構成図である。図２に示すように、加煙試験器１は、試験煙３を放出して煙感知器２の加煙試験を行うものであり、試験器本体６と、アーム４と、支持棒５と、加煙開始スイッチ７とを備えている。試験器本体６は、煙生成部３０と、制御部７０と、カバー体２０とを有している。加煙開始スイッチ７は、例えば支持棒５等に設けられ、加煙試験を行う際に作業者に押下されると、試験器本体６の煙生成部３０（詳細は後述）が試験煙３を生成する。これにより、加煙試験が開始される。
【００１１】
カバー体２０は、煙生成部３０の上方に設けられた円筒部２１と、円筒部２１の上方に設けられ加煙試験時に煙感知器２に接する蛇腹部２２とを有している。円筒部２１は、例えば樹脂製であり、煙生成部３０によって生成された試験煙３が上昇して流入する部分である。蛇腹部２２は、例えばゴム製であり、円筒部２１に流入する試験煙３が、更に上昇していき、煙感知器２に到達する部分である。蛇腹部２２は、蛇腹形状をなしていることにより、煙感知器２の種々の設置態様に対応することができる。
【００１２】
煙生成部３０は、本体部３１と、蓋部４０と、収容部３２と、加熱部３７（ヒーターパーツ）とを有している。本体部３１は、カバー体２０の円筒部２１に接続されており、内部が中空の筐体である。本体部３１には、煙流出口３１ｂが形成されている。煙流出口３１ｂは、本体部３１の上部に形成されており、煙生成部３０によって生成された試験煙３がカバー体２０の円筒部２１に流入する開口部である。蓋部４０は、本体部３１の煙流出口３１ｂ近傍に設けられており、加煙試験器１の運搬時又は保管時等に、煙流出口３１ｂを塞ぎ、加煙用試料３ａの漏れを防止することを目的とし、試験開始前に開けられる。蓋部４０の開閉は手動でもよいし、自動でもよい。
【００１３】
収容部３２は、試験煙３の試料である加煙用試料３ａを収容する。収容部３２の上部には、試験煙３が通過する上部収容開口３２ａが形成されており、上部収容開口３２ａと煙流出口３１ｂとは連通している。ここで、加煙用試料３ａは、流動性を有するものであり、例えば流動パラフィンである。なお、加煙用試料３ａは、流動パラフィンに限らず、グリセリン又はプロピレングリコール等でもよい。また、加煙用試料３ａは、グリセリン又はプロピレングリコール等に水を混ぜたものでもよい。
【００１４】
制御部７０は、煙生成部３０の下方に設けられ、バッテリ８と、電源スイッチ９と、ＣＰＵ１０とを有している。バッテリ８は、加熱部３７に電源を供給する。電源スイッチ９は、加煙試験器１自体の電源をオンオフするものであり、バッテリ８とＣＰＵ１０との間に接続されている。電源スイッチ９がオフの場合、バッテリ８からＣＰＵ１０に電源が供給されず、加煙試験は開始されない。
【００１５】
ＣＰＵ１０は、例えば制御基板であり、煙生成部３０の下部に設けられている。ＣＰＵ１０は、加熱部用スイッチ１０ａを介して、加熱部３７に制御信号を送信する。加熱部３７は、ＣＰＵ１０から送信された制御信号に基づいて動作する。なお、ＣＰＵ１０は、ＰＷＭ（Ｐｌｕｓｅ  Ｗｉｄｔｈ  Ｍｏｄｕｌａｔｉｏｎ）制御によってバッテリ８から加熱部３７に給電する。このため、バッテリ８の消費を抑えつつ加熱部３７の加熱が可能となる。なお、ＣＰＵ１０は、ＰＷＭ制御に限らず、加熱部３７にＤＣ給電してもよい。
【００１６】
図３は、本発明の実施の形態１に係る加熱部３７を示す斜視図である。図３（ａ）は、加熱部３７の外観図であり、図３（ｂ）は、図３（ａ）の断面図である。加熱部３７は、収容部３２に収容された加煙用試料３ａに一部が浸かり、加煙用試料３ａを加熱して試験煙３を発生させる。加熱部３７は、ケーシング５０と、回転体６０とを有しており、図３（ａ）及び図３（ｂ）に示すように、ケーシング５０と回転体６０とがアセンブリされて、加熱部３７が構成されている。ここで、回転体６０は、加熱し、収容部３２に収容された加煙用試料３ａに浸かる部分が、離間するように移動することで、加煙用試料３ａを加熱する。本実施の形態１では、回転体６０自身が加熱し、加煙用試料３ａに浸かる部分が変化するように回転することによって、発生した試験煙３を試験器本体６の外部に送る場合について例示しているが、これに限らず、加熱部は、ケーシング５０及び回転体６０の近傍に別途設けられるヒータ等としてもよい。
【００１７】
図４は、本発明の実施の形態１に係るケーシング５０を示す図である。図４に示すように、ケーシング５０は、回転体６０を内部に収納する収納部５１と、生成された試験煙３を吹き出す吹出部５２とを有している。収納部５１は、円筒状をなしており、下部側面に円弧状の流入孔５１ａが形成されている。流入孔５１ａは、収納部５１の下部が収容部３２に収容された加煙用試料３ａに浸かった状態で、加煙用試料３ａが収納部５１の内部に流入する開口である。また、収納部５１の中央には、円形の軸穴５１ｂが形成されている。吹出部５２は、収納部５１の流入孔５１ａの、煙流出口３１ｂに対向する方向の先端側に設けられている。吹出部５２には、生成された試験煙３が煙流出口３１ｂに向かうように設けられる、吹き出し口５２ａが形成されている。
【００１８】
図５は、本発明の実施の形態１に係る回転体６０を示す図である。図５に示すように、回転体６０は、回転軸となる軸部６１と、軸部６１から放射状に延びる複数の腕部６２と、それぞれの腕部６２の先端に設けられたブレード６３とを有している。軸部６１は、腕部６２及びブレード６３がケーシング５０内に収納された状態で収納部５１の軸穴５１ｂに挿入される。腕部６２は、軸部６１の回転をブレード６３に伝達するものである。ブレード６３の一部は、収容部３２に収容された加煙用試料３ａに浸かっており、回転することによって、加煙用試料３ａを液面から押し上げて空気に触れさせる。
【００１９】
図２に示すように、加熱部３７は、収容部３２に収容された加煙用試料３ａを加熱することによって、加煙用試料３ａを試験煙３に変化させる。具体的には、加熱部３７の回転体６０は、回転することによって、加煙用試料３ａを、ブレード６３に付着させた状態で、液面から押し上げる。ブレード６３に付着した少量の加煙用試料３ａは、ブレード６３上で更に加熱され、蒸発温度に達する。このとき、ブレード６３に付着した少量の加煙用試料３ａは、収容部３２に収容された加煙用試料３ａに接していないため、収容部３２内の周囲の加煙用試料３ａに冷やされることなく加熱され、蒸発温度に達し易くなる。蒸発温度に達した加煙用試料３ａは、周囲の空気に冷やされることで、試験煙３へ変化する。これにより、加煙用試料３ａは、蒸発し易く、試験煙３を生成し易い。また、加熱部３７の回転体６０が回転することによって、発生した試験煙３は、上方に流れ、収容部３２の上部に形成された上部収容開口３２ａ側に送られる。
【００２０】
ここで、本実施の形態１では、加熱部３７は、加煙試験前に、予め加煙用試料３ａを温めるように構成されている。即ち、加熱部３７の回転体６０は、回転しない状態で、加煙試験前に加煙用試料３ａを加温しておき、加煙試験時に回転することによって、直ちに試験煙３を発生させる。
【００２１】
次に、加煙試験器１の操作について説明する。加煙試験器１の電源スイッチ９は予めオンされているものとする。加煙試験器１の電源スイッチ９が押下されると、加熱部３７が加熱を開始し、加熱部３７の温度が上昇する。また、蓋部４０は、本体部３１の煙流出口３１ｂを閉めておらず開けている。煙感知器２の動作を試験する際、作業者は、加煙試験器１の支持棒５を握持し、試験器本体６のカバー体２０が煙感知器２に当たるように、支持棒５を所定の角度にして当接させる。試験器本体６のカバー体２０が煙感知器２に適切な角度で当たると、作業者は、加煙開始スイッチ７を押下する。これにより、バッテリ８からＣＰＵ１０に電源が供給され、ＣＰＵ１０は、加熱部用スイッチ１０ａを介して、加熱部３７に制御信号を送信する。
【００２２】
これにより、加熱部３７の回転体６０は回転し始め、加煙用試料３ａを収容部３２の液面から押し上げ、回転体６０のブレード６３に、加煙用試料３ａを付着させた状態で加熱し続け、蒸発した加煙用試料３ａが周囲の空気によって冷やされることで試験煙３に変化させる。そして、加熱部３７の回転体６０が回転することによって、発生した試験煙３が上昇し、上部収容開口３２ａを通って煙流出口３１ｂ側に送られる。カバー体２０に送られた試験煙３は、煙感知器２に流入し、煙感知器２の動作が確認される。
【００２３】
従来、ヒータが流動パラフィンに常時浸かっている状態で、流動パラフィンを加熱する技術が知られている。この場合、加熱された流動パラフィンが、液層内の周囲の流動パラフィンによって冷やされ、流動パラフィンが蒸発し難く、試験煙３の生成に時間を要する。これに対し、本実施の形態１によれば、加熱部３７における加煙用試料３ａに浸かる部分が、収容部３２に収容された加煙用試料３ａから離間するように移動する。これにより、加熱部３７に付着した加煙用試料３ａは、収容部３２に収容されている加煙用試料３ａに浸かっていない状態となるので、収容部３２内の加煙用試料３ａに冷やされることなく加熱される。また、周囲の空気に触れることで蒸発温度に達した加煙用試料３ａが冷やされるため、試験煙３となり易い。このため、加熱された加煙用試料３ａは試験煙３に変化し易い。従って、迅速に試験煙３を生成することができる。
【００２４】
また、本実施の形態１は、加熱部３７の回転体６０が、加煙用試料３ａに浸かる部分が変化するように回転しており、回転することによって、発生した試験煙３を試験器本体６の外部に送る。即ち、加熱部３７は、加熱機能のみでなく、送風機能を併せもっている。このため、別途ファンを設ける必要がない。なお、加熱部３７の送風機能と加熱機能は、例えば、送風機能を強めた場合に加熱された回転体６０を冷ましてしまわないように、両者のバランスを考慮して適宜設定される。また、試験煙３の量を増やす必要がある場合、加熱機能を強くするように設定すればよいし、試験煙３を可及的に速く煙感知器２に送る必要がある場合、送風機能を強くするように設定すればよい。
【００２５】
なお、本実施の形態１では、加熱部３７の回転体６０が回転する場合について例示しているが、加熱部３７は、収容部３２に収容された加煙用試料３ａに浸かる部分が変化するように上下動する構成とされてもよい。この場合も、上下動する部分に付着した加煙用試料３ａは、収容部３２に収容されている加煙用試料３ａに浸かっていない状態となるので、収容部３２に収容されている加煙用試料３ａに冷やされることなく加熱され、また、空気に触れることで蒸発温度に達した加煙用試料３ａが冷やされるため、蒸発し易い。従って、迅速に試験煙３を生成することができる。
【００２６】
また、本実施の形態１では、加熱部３７の回転体６０は、加煙試験前に、回転しない状態で、予め加煙用試料３ａを加温する予備加熱を実施し、加煙試験時に回転するように構成されている。予備加熱を実施することで、予め温めた加煙用試料３ａを、回転体６０により持ち上げて加熱するので、加煙試験を開始してから、加煙用試料３ａの蒸発温度に達するまでの時間を短縮することができる。これにより、加煙試験時に直ちに試験煙３を発生させることができる。なお、加熱部３７の回転体６０は、加熱動作及び回転動作を同時に開始してもよい。この場合、予備加熱が行われないため、消費電力を削減することができる。
【００２７】
実施の形態２．
図６は、本発明の実施の形態２に係る加煙試験器１００を示す断面図及びハードウエア構成図である。本実施の形態２は、加煙試験器１００が検出部１４１及び温度センサ１４２を有している点で、実施の形態１と相違する。本実施の形態２では、実施の形態１と共通する部分は同一の符号を付して説明を省略し、実施の形態１との相違点を中心に説明する。
【００２８】
検出部１４１は、試験器本体６が煙感知器２に当接したことを検出するものであり、図６に示すように、煙生成部３０のうちカバー体２０と接触している部分に設けられている。検出部１４１は、例えば近接センサである。ＣＰＵ１０は、検出部１４１によって試験器本体６が煙感知器２に当接したことが検出された場合、加熱部３７の回転体６０が回転するように加熱部３７に制御信号を送信する。
【００２９】
温度センサ１４２は、煙感知器２の周囲温度を検出するものであり、図６に示すように、煙生成部３０のうちカバー体２０と接触している部分に設けられている。ＣＰＵ１０は、温度センサ１４２によって検出された周囲温度に基づいて、加熱部３７の回転体６０の加熱温度を制御する。温度センサ１４２によって検出された周囲温度に基づき、加熱部３７の回転体６０の加熱温度を制御することができる。例えば、ＣＰＵ１０は、温度センサ１４２によって検出された周囲温度が温度閾値の超過または未満である場合、加熱部３７による加熱温度を制御し、煙感知器２の周囲温度が過剰に上昇又は低下することを抑制することができる。これにより、高温環境で発煙量が低下するものとその反対のどちらであっても、煙濃度を一定に保つことができる。
【００３０】
次に、加煙試験器１００の操作について説明する。加煙試験器１００の電源スイッチ９は予めオンされているものとする。加煙試験器１００の電源スイッチ９が押下されると、加熱部３７が加熱を開始し、温度が上昇する。また、蓋部４０は、本体部３１の煙流出口３１ｂを閉めておらず開けている。煙感知器２の動作を試験する際、作業者は、加煙試験器１の支持棒５を握持し、加煙試験器１００のカバー体２０を煙感知器２に当接させる。加煙試験器１００のカバー体２０が煙感知器２に接し、カバー体２０の蛇腹部２２が縮小し、煙感知器２と検出部１４１とが近づいたときに、検出部１４１によって試験器本体６が煙感知器２に当接されたことが検出される。これにより、バッテリ８からＣＰＵ１０に電源が供給され、ＣＰＵ１０は、加熱部用スイッチ１０ａを介して、加熱部３７に制御信号を送信する。
【００３１】
加熱部３７に制御信号が送信されると、加熱部３７の回転体６０は回転し始め、加煙用試料３ａを収容部３２の液面から押し上げつつ、加熱を行い、試験煙３に変化させる。そして、加熱部３７回転体６０が回転することによって、発生した試験煙３が上昇し、上部収容開口３２ａを通って煙流出口３１ｂ側に送られる。カバー体２０に送られた試験煙３は、煙感知器２に流入し、煙感知器２の動作が確認される。
【００３２】
本実施の形態２で説明したように、加煙開始スイッチ７の代わりに、検出部１４１を用いても、実施の形態１と同様の効果を奏する。
【００３３】
実施の形態３．
図７は、本発明の実施の形態３に係る加煙試験器２００を示す断面図及びハードウエア構成図である。本実施の形態３は、加熱部２３７がプロペラファンである点で、実施の形態１及び２と相違する。本実施の形態３では、実施の形態１及び２と共通する部分は同一の符号を付して説明を省略し、実施の形態１及び２との相違点を中心に説明する。
【００３４】
図７に示すように、収容部３２の側部には、試験煙３が通過する側部収容開口３２ｂが形成されており、側部収容開口３２ｂと煙流出口３１ｂとは連通している。加熱部２３７は、プロペラファンであり、回転軸となる軸部２３７ａと、軸部２３７ａの回転と共に回転する羽根車２３７ｂと、羽根車２３７ｂを押さえるボス２３７ｃとを有している。軸部２３７ａは、収容部３２の、側部収容開口３２ｂに対向する側部に設けられている。羽根車２３７ｂの一部は、収容部３２に収容された加煙用試料３ａに浸かっており、回転することによって、加煙用試料３ａを液面から押し上げて、加熱され易い状態にする。ボス２３７ｃは、軸部２３７ａの、収容部３２側の先端に設けられることによって、羽根車２３７ｂを軸部２３７ａ側に押さえる。
【００３５】
加熱部２３７は、収容部３２に収容された加煙用試料３ａを加熱することによって、加煙用試料３ａを試験煙３に変化させる。具体的には、加熱部２３７の羽根車２３７ｂは、回転することによって、加煙用試料３ａを液面から押し上げる。羽根車２３７ｂに付着した少量の加煙用試料３ａは、収容部３２に収容された加煙用試料３ａに接していないため、収容部３２内の周囲の加煙用試料３ａに冷やされることなく加熱され、蒸発温度に達し易くなる。羽根車２３７ｂに付着した少量の加煙用試料３ａは、羽根車２３７ｂの羽根上で更に加熱され、蒸発温度に達する。蒸発温度に達した加煙用試料３ａは、周囲の空気に冷やされることで、試験煙３へ変化する。これにより、加煙用試料３ａが蒸発し易く、試験煙３が生成され易い。また、羽根車２３７ｂが回転することによって、発生した試験煙３は、側方に流れ、収容部３２の側部に形成された側部収容開口３２ｂ側に送られる。
【００３６】
次に、加煙試験器２００の操作について説明する。加煙試験器２００の電源スイッチ９は予めオンされているものとする。加煙試験器２００の電源スイッチ９が押下されると、加熱部２３７が加熱を開始し、加熱部２３７の温度が上昇する。また、蓋部４０は、本体部３１の煙流出口３１ｂを閉めておらず開けている。煙感知器２の動作を試験する際、作業者は、加煙試験器２００の支持棒５を握持し、加煙試験器２００のカバー体２０を煙感知器２に当接させる。加煙試験器２００のカバー体２０が煙感知器２に適切な角度で当たると、作業者は、加煙開始スイッチ７を押下する。これにより、バッテリ８からＣＰＵ１０に電源が供給され、ＣＰＵ１０は、加熱部用スイッチ１０ａを介して、加熱部２３７に制御信号を送信する。
【００３７】
これにより、加熱部２３７の羽根車２３７ｂは回転し始め、加煙用試料３ａを収容部３２の液面から押し上げつつ、加熱を行い、試験煙３に変化させる。そして、加熱部２３７の羽根車２３７ｂが回転することによって、発生した試験煙３が側方に流れ、側部収容開口３２ｂを通って煙流出口３１ｂ側に送られる。カバー体２０に送られた試験煙３は、煙感知器２に流入し、煙感知器２の動作が確認される。
【００３８】
本実施の形態３で説明したように、実施の形態１の加熱部３７の代わりに、プロペラファンである加熱部２３７を用いても、実施の形態１と同様の効果を奏する。
【符号の説明】
【００３９】
１  加煙試験器、２  煙感知器、３  試験煙、３ａ  加煙用試料、４  アーム、５  支持棒、６  試験器本体、７  加煙開始スイッチ、８  バッテリ、９  電源スイッチ、１０  ＣＰＵ、１０ａ  加熱部用スイッチ、２０  カバー体、２１  円筒部、２２  蛇腹部、３０  煙生成部、３１  本体部、３１ｂ  煙流出口、３２  収容部、３２ａ  上部収容開口、３２ｂ  側部収容開口、３７  加熱部、４０  蓋部、５０  ケーシング、５１  収納部、５１ａ  流入孔、５１ｂ  軸穴、５２  吹出部、５２ａ  吹き出し口、６０  回転体、６１  軸部、６２  腕部、６３  ブレード、７０  制御部、１００  加煙試験器、１４１  検出部、１４２  温度センサ、２００  加煙試験器、２３７  加熱部、２３７ａ  軸部、２３７ｂ  羽根車、２３７ｃ  ボス。
【図１】
2020077104.tif 000003
【図２】
2020077104.tif 000004
【図３】
2020077104.tif 000005
【図４】
2020077104.tif 000006
【図５】
2020077104.tif 000007
【図６】
2020077104.tif 000008
【図７】
2020077104.tif 000009